(57)【特許請求の範囲】
【請求項１】
単電池が複数個並べられた単電池群に取付けられる電池配線モジュールであって、
前記単電池の端子と電気的に接続される導電部材と、
前記各導電部材を保持する複数の保持部と、を備え、
前記導電部材は、前記単電池の電圧を検知するための電圧検知端子であり、
前記保持部は、前記導電部材が載置される底部と、前記底部に載置された前記導電部材を外部と仕切る仕切り壁と、を有し、
前記仕切り壁には、当該仕切り壁の外側から見て前記導電部材が表れるように露出させる露出部が設けられ、前記露出部は、前記電圧検知端子の長方形状の平板部における直角の１つの角部が挿通されて前記電圧検知端子が傾斜した姿勢とされているとともに、
前記露出部の少なくとも一部を覆う補助壁を有する電池配線モジュール。
【請求項２】
前記導電部材は複数であり、前記複数の導電部材は、前記電圧検知端子と、隣り合う単電池の端子間を接続する接続部材とを備えることを特徴とする請求項１に記載の電池配線モジュール。
【請求項３】
前記補助壁は、前記仕切り壁の外面側に設けられていることを特徴とする請求項１又は請求項２に記載の電池配線モジュール。
【請求項４】
前記仕切り壁には、前記導電部材の離脱を規制する係止片が撓み変形可能に設けられており、前記露出部は、前記係止片の周囲に設けられ前記係止片の撓み変形を可能とする貫通孔であることを特徴とする請求項１ないし請求項３のいずれか一項に記載の電池配線モジュール。
【請求項５】
前記補助壁は、前記仕切り壁と一体に形成されていることを特徴とする請求項１ないし請求項４のいずれか一項に記載の電池配線モジュール。
【請求項６】
前記電池配線モジュールは、複数の接続ユニットを連結して構成され、前記接続ユニットに１又は複数の保持部が設けられていることを特徴とする請求項１ないし請求項５のいずれか一項に記載の電池配線モジュール。
【発明の詳細な説明】
【技術分野】
【０００１】
本発明は、電池配線モジュールに関する。
【背景技術】
【０００２】
電気自動車やハイブリッド車用の電池モジュールは、正極及び負極の電極端子を有する単電池が複数個並んで配列されており、隣り合う単電池の電極端子間が接続部材（バスバー）で接続されることにより複数の単電池が直列や並列に接続されるようになっている（特許文献１参照）。
【０００３】
ここで、接続部材の取付作業を簡素化等するために、特許文献２に示すように、複数の樹脂製の接続ユニットに接続部材を収容し、これら接続ユニット同士を連結した電池配線モジュールを複数の単電池に一体的に装着することが考えられた。
【０００４】
そして、各接続ユニットは、合成樹脂製の基部に設けられて四方を囲む壁部（仕切り壁）の中に接続部材を収容することで外部との絶縁が確保されるようになっており、壁部の内側に収容された接続部材は、壁部の内側に突出する一対の係止凸部により上方から係止されるようになっている。
【先行技術文献】
【特許文献】
【０００５】
【特許文献１】特開平１１−０６７１８４号公報
【特許文献２】特開２０１１−８９５７号公報
【発明の概要】
【発明が解決しようとする課題】
【０００６】
ところで、特許文献２の構成では、一対の係止凸部のうちの一方は、撓み片の先端部に設けられている。この撓み片は、スリット状に壁部を貫通する一対の切欠きを設けることにより両切欠きの内側に形成されている。
しかしながら、このような切欠きを壁部に設けた場合には、接続部材と外部との絶縁性や、壁部の剛性が低下することが懸念される。
【０００７】
本発明は上記のような事情に基づいて完成されたものであって、絶縁性や剛性の低下を抑制することが可能な電池配線モジュールを提供することを目的とする。
【課題を解決するための手段】
【０００８】
本発明は、単電池が複数個並べられた単電池群に取付けられる電池配線モジュールであって、前記単電池の端子と電気的に接続される導電部材と、前記各導電部材を保持する複数の保持部と、を備え、前記導電部材は、前記単電池の電圧を検知するための電圧検知端子であり、前記保持部は、前記導電部材が載置される底部と、前記底部に載置された前記導電部材を外部と仕切る仕切り壁と、を有し、前記仕切り壁には、当該仕切り壁の外側から見て前記導電部材が表れるように露出させる露出部が設けられ、前記露出部は、前記電圧検知端子の長方形状の平板部における直角の１つの角部が挿通されて前記電圧検知端子が傾斜した姿勢とされているとともに、前記露出部の少なくとも一部を覆う補助壁を有する。
本構成によれば、仕切り壁の露出部の少なくとも一部を覆う補助壁が設けられているため、露出部による仕切り壁の絶縁性や剛性の低下を抑制することができる。
【０００９】
上記構成に加えて以下の構成を有すればより好ましい。
・前記導電部材は複数であり、前記複数の導電部材は、前記電圧検知端子と、隣り合う単電池の端子間を接続する接続部材とを備える。
・前記補助壁は、前記仕切り壁の外面側に設けられている。
このようにすれば、ボルトやナットによる締結の際にソケットレンチ等の工具を仕切り壁の内側に挿入する場合が考えられるが、この場合に補助壁が邪魔になることがない。
【００１０】
・前記仕切り壁には、前記導電部材の離脱を規制する係止片が撓み変形可能に設けられており、前記露出部は、前記係止片の周囲に設けられ前記係止片の撓み変形を可能とする貫通孔である。
導電部材の離脱を規制するために仕切り壁に撓み変形可能な係止片を設けることがあるが、この場合、係止片の周囲には係止片の撓み変形を可能とするために必然的に露出部が形成される。本構成によれば、係止片により導電部材の離脱を規制しつつ、露出部による仕切り壁の絶縁性や剛性の低下を抑制することができる。
【００１１】
・前記補助壁は、前記仕切り壁と一体に形成されている。
補助壁を形成するための構成を簡素化することができる。
【００１２】
・前記電池配線モジュールは、複数の接続ユニットを連結して構成され、前記接続ユニットに１又は複数の保持部が設けられている。
【発明の効果】
【００１３】
本発明によれば、絶縁性や剛性の低下を抑制することが可能な電池配線モジュールを提供することができる。
【図面の簡単な説明】
【００１４】
【図１】実施形態１に係る電池配線モジュールが取り付けられた電池モジュールを示す平面図
【図２】電池配線モジュールを示す平面図
【図３】接続ユニットにおける導電部材が収容された保持部を拡大して表した平面図
【図４】図３のＡ−Ａ断面図
【図５】図３のＢ−Ｂ断面図
【図６】接続ユニット及び端部ユニットが連結された状態を概略的に表した平面図
【図７】接続ユニットにおける保持部を拡大して表した平面図
【図８】接続ユニットにおける保持部の補助壁側の面を表した図
【図９】接続ユニットにおける保持部を拡大して表した底面図
【図１０】実施形態２に係る電池配線モジュールを示す平面図
【図１１】電池配線モジュールを示す正面図
【図１２】連結接続ユニットを示す平面図
【図１３】図１２のＣ−Ｃ断面図
【図１４】他の実施形態にかかる図３のＢ−Ｂ断面図に対応する図
【図１５】他の実施形態にかかる図１２のＣ−Ｃ断面に対応する図
【発明を実施するための形態】
【００１５】
＜実施形態１＞
以下、本発明の実施形態を図１〜図９を参照しつつ説明する。
本実施形態の電池配線モジュール２０は、図１に示すように、単電池１１が複数個並べられた単電池群に取付けられることにより複数の単電池１１が直列や並列に接続されて電池モジュール１０を構成するものである。
【００１６】
電池モジュール１０は、例えば、電気自動車またはハイブリッド自動車等の駆動源として使用される。以下では、前後方向については図１の上方を前方、下方を後方とし、図１の紙面手前側を上方、紙面奥方を下方として説明する。
電池モジュール１０は、図１に示すように、例えば横並びに配列された５個（複数個）の単電池１１（単電池群）と、５個の単電池１１に取付けられる電池配線モジュール２０とを備えて構成されている。
【００１７】
単電池１１は、内部に図示しない発電要素が収容された直方体状の本体部の端面から垂直に突出するナット状の電極端子１２Ａ，１２Ｂ（正極を１２Ａ，負極を１２Ｂとして図示）及び電圧検知用電極１２Ｃを有する。
各単電池１１の極性（正負）の向きは、互いに隣り合う単電池１１が逆向きになるように配置されており、これにより、互いに異極の電極端子１２Ａ，１２Ｂが隣り合うように構成されている。これら複数の単電池１１は図示しない保持板によって固定されている。
【００１８】
電池配線モジュール２０は、左右に隣り合う電極端子１２Ａ，１２Ｂ間を接続する複数の接続部材２１（本発明の構成である「導電部材」の一例）と、接続部材２１を保持し左右に連結された２個（複数）の接続ユニット２３と、接続ユニット２３の連結の端部に設けられる端部ユニット４０Ａ，４０Ｂとを備えて構成されている。
接続部材２１は、銅、銅合金、アルミニウム等の金属からなり、図３に示すように、概ね長方形の板状をなし、締結部材であるボルトの軸部が挿通される挿通孔２２，２２を有する。
【００１９】
各接続ユニット２３は、共に合成樹脂製で同一形状であって、図６に示すように、同一平面上においてＬ字形に屈曲した形状とされており、前部及び後部に設けられてそれぞれ接続部材２１を保持する２個（複数）の保持部２４Ａ，２４Ｂと、接続ユニット２３の中間部に設けられ電圧検知端子４３（本発明の構成である「導電部材」の一例）を収容する２個（複数）の検知用収容部３５と、保持部２４Ａ，２４Ｂと検知用収容部３５との間に設けられ電圧検知用電線Ｗ２が通される２本の電線通し溝３６とを備えている。
【００２０】
２個の保持部２４Ａ，２４Ｂは、共に、図７に示すように、接続部材２１が載置される底板２５（本発明の構成である「底部」の一例）と、接続部材２１を囲むように形成されてなる仕切り壁２７とを有する。
【００２１】
底板２５は、幅方向の中間部において前後の仕切り壁２７を連結する中間支持部２５Ａと、左右の端部において仕切り壁２７の基端から内側にわずかに突出する底縁部２５Ｂとからなり、底板２５のない部分が電極端子１２Ａ，１２Ｂが配される開口部２６とされる。
【００２２】
仕切り壁２７は、工具等が電極端子１２Ａ，１２Ｂ及び接続部材２１に接触して短絡することを防止するために、工具等の接触が防止される高さで接続部材２１を包囲するように接続部材２１の周囲に環状に立設されている。
【００２３】
この環状の仕切り壁２７は、左右方向に延びる一対の対向壁２８Ａ，２８Ｂと、前後方向に延びる一対の側壁３４，３４とが連なって角筒状に構成されている。
各対向壁２８Ａ，２８Ｂの左右方向の中間部（中間支持部２５Ａの端部の上方）には、接続部材２１の離脱を規制する係止片２９Ａ，２９Ｂが撓み変形可能に設けられている。
【００２４】
係止片２９Ａ，２９Ｂは、共に、図４に示すように、左右の一対のスリット３０Ａ，３０Ａとこのスリット３０Ａ，３０Ａの下端を連ねる切欠き３０Ｂとからなりコ字状に仕切り壁２７を貫通する露出孔３０（本発明の構成である「露出部」の一例）を形成することにより設けられている。
【００２５】
係止片２９Ａ，２９Ｂの下方（露出孔３０の下方）は、図９に示すように、底板２５が矩形状に切り欠かれて開放された通し孔３１とされており、この通し孔３１は、例えば、上下の金型を使用して接続ユニット２３を形成する場合に、係止片２９Ａ，２９Ｂを形成するための金型の抜き孔となるものである。
【００２６】
この係止片２９Ａ，２９Ｂは、前後方向に撓み変形可能な厚みで形成され、図５に示すように、下方側（底板側）に向けてやや傾斜状に厚み寸法が大きくなる肉厚部２９Ｃを有する。これにより係止片２９Ａ，２９Ｂの下端部は、接続部材２１の周縁の位置よりも内側に突出している。（接続部材２１の周縁が係止片２９Ａ，２９Ｂの爪状のエッジの下方に配されている）。そして、接続部材２１の装着の際には、係止片２９Ａ，２９Ｂを撓み変形（弾性変形）させ、接続部材２１が所定位置に装着されると、係止片２９Ａ，２９Ｂが復元変形し、接続部材２１の離脱が規制される。
【００２７】
ここで、一対の対向壁２８Ａ，２８Ｂのうち、前方側（電池配線モジュール２０の外面側に配置されている）の対向壁２８Ａには、露出孔３０を外方側から覆う補助壁３２が、対向壁２８Ａ（仕切り壁２７）と一体に設けられている。
【００２８】
補助壁３２は、対向壁２８Ａの外面よりも前方（外方）に設けられており、左右方向について露出孔３０の幅寸法の全体を含む範囲に形成されている。この補助壁３２は、対向壁２８Ａの外面に対しては、所定間隔を空けて形成されており、そこから左右に仕切り壁２７との間隔が狭くなって仕切り壁２７と一体に連なる。これにより、仕切り壁２７と補助壁３２との間は、上下に連通する連通孔３３が形成されている。
【００２９】
検知用収容部３５は、図６に示すように、電圧検知端子４３を収容するとともに電線通し溝３６に連なる凹部を有し、この凹部には、単電池１１の電圧検知用電極１２Ｃと接続するための矩形孔が開口している。この矩形孔の前後の孔縁に係止するように電圧検知端子４３が配されるとともに、凹部を通って電圧検知用電線Ｗ２が電線通し溝３６に導かれる。
【００３０】
電線通し溝３６は、各接続ユニット２３において左右に延びており、接続ユニット２３が連結されることにより、隣合う接続ユニット２３の電線通し溝３６が連なる。
なお、図示はしないが、各接続ユニット２３（及び端部ユニット４０Ａ，４０Ｂ）には、左右方向の一方に設けられた連結係合部と、左右方向の他方に設けられ隣の接続ユニット２３（又は端部ユニット４０Ａ，４０Ｂ）に係合する連結被係合部が設けられており、連結係合部と連結被係合部とがクリアランスを有しつつ係合することにより、左右の接続ユニット２３が連結された状態となる。
【００３１】
電圧検知端子４３は、単電池１１の電圧を測定するためのものであって、図１に示すように、中心部に挿通孔４３Ａを有する矩形状をなし、電圧検知用電線Ｗ２の端末部に圧着等により接続されている。電圧検知用電線Ｗ２は、芯線（導体）が絶縁層で覆われた被覆電線であり、その端末では、絶縁層が剥ぎ取られて芯線が露出している。
【００３２】
電圧検知用電線Ｗ２は、電線通し溝３６に集められて図示しない電池ＥＣＵに導かれる。この電池ＥＣＵは、マイクロコンピュータ、素子等が搭載されたものであって、単電池１１の電圧・電流・温度等の検知、各単電池１１の充放電コントロール等を行うための機能を備えた周知の構成のものである。
【００３３】
端部ユニット４０Ａ，４０Ｂは、複数の接続ユニット２３の連結の端部にそれぞれ設けられる合成樹脂製の部材であり、長方形状の端子金具４１Ａ，４１Ｂがそれぞれ収容されている。この端子金具４１Ａ，４１Ｂには、締結部材であるボルトの軸部が挿通される挿通孔４２Ａ，４２Ｂが設けられるとともに、インバータ等に連なる電線Ｗ１が圧着等により接続されている。なお、一方の端部ユニット４０Ｂには、電圧検知端子４３が収容される検知用収容部３５が設けられている。
【００３４】
次に、電池配線モジュール２０の取り付けについて説明する。
本実施形態では、複数の接続ユニット２３について図示しない連結係合部を連結被係合部に係合させ連結する作業を接続ユニット２３，２３及び端部ユニット４０Ａ，４０Ｂについて行う（図６）。
次に、全ての接続ユニット２３及び端部ユニット４０Ａ，４０Ｂについて接続部材２１及び端子金具４１Ａ，４１Ｂを収容し（図２）、電圧検知用電線Ｗ２の端末部に圧着された電圧検知端子４３を検知用収容部３５に収容して電線通し溝３６に通す。
【００３５】
次に、電池配線モジュール２０に収容された接続部材２１、端子金具４１Ａ，４１Ｂ及び電圧検知端子４３の全ての挿通孔２２，２２，４２Ａ，４２Ｂ，４３Ａを、複数の単電池１１（単電池群）の全ての電極端子１２Ａ〜１２Ｃのボルト孔の位置に合わせ、ボルトをナット状の電極端子１２Ａ，１２Ｂに螺合させて締付けていく。全てを締付けると、電池モジュール１０が完成する（図１）。
【００３６】
上記実施形態の構成によれば、以下の効果を奏する。
（１）単電池１１が複数個並べられた単電池群に取付けられる電池配線モジュール２０であって、単電池１１の電極端子１２Ａ，１２Ｂ（端子）と電気的に接続される接続部材２１（導電部材）と、各接続部材２１を保持する複数の保持部２４Ａ，２４Ｂと、を備え、保持部２４Ａ，２４Ｂは、接続部材２１，電圧検知端子４３が載置される底部２５と、底部２５に載置された接続部材２１，電圧検知端子４３を外部と仕切る仕切り壁２７と、を有し、仕切り壁２７には、当該仕切り壁２７の外側から見て接続部材２１が表れるように露出させる露出孔３０（露出部）が設けられるともに、露出孔３０の少なくとも一部を覆う補助壁３２を有する。
本実施形態によれば、仕切り壁２７の外面側にて露出孔３０の少なくとも一部を覆う補助壁３２が設けられているため、露出孔３０による仕切り壁２７の絶縁性や剛性の低下を抑制することができる。
（２）補助壁３２は、対向壁２８Ａ（仕切り壁２７）の外面側に設けられているため、仕切り壁２７の内側に工具を挿入する場合が考えられるが、この場合に補助壁３２が邪魔になることがない。
【００３７】
（３）対向壁２８Ａ（仕切り壁２７）には、接続部材２１の離脱を規制する係止片２９Ａが撓み変形可能に設けられており、露出孔３０は、係止片２９Ａの周囲に設けられ係止片２９Ａの撓み変形可能とする貫通孔である。
接続部材２１の離脱を規制するために仕切り壁２７に撓み変形可能な係止片２９Ａを設けることがあるが、この場合、係止片２９Ａの周囲には係止片２９Ａの撓み変形を可能とするために必然的に露出孔３０が形成される。本実施形態によれば、係止片２９Ａにより接続部材２１の離脱を規制しつつ、露出孔３０による仕切り壁２７の絶縁性や剛性の低下を抑制することができる。
（４）補助壁３２は、仕切り壁２７と一体に形成されているため、補助壁３２を形成するための構成を簡素化することができる。
【００３８】
＜実施形態２＞
実施形態２について、図１０〜図１３を参照しつつ説明する。以下では、実施形態１と同一の構成については、同一の符号を付して説明を省略する。
電池配線モジュール５０は、図１０に示すように、合成樹脂製の複数の接続ユニットを左右に連結して構成された連結接続ユニット５１と、連結接続ユニット５１に収容され、左右に隣り合う電極端子１２Ａ，１２Ｂ間を接続する複数の接続部材６１（本発明の構成である「導電部材」の一例）と、連結接続ユニット５１の中間部に並んで配置される電圧検知端子４３と、各接続部材６１に重ねて配置される電圧検知端子６３（本発明の構成である「導電部材」の一例）と、を備えて構成されている。
接続部材６１は、銅、銅合金、アルミニウム等の金属からなり、概ね長方形の板状をなし、左右方向に長い長円形状の挿通孔６２，６２が締結部材であるボルトの軸部を挿通可能となっている。
【００３９】
連結接続ユニット５１は、図１２に示すように、前部及び後部の２列に並んで設けられ接続部材５１を保持する複数の保持部５２と、中間部に並んで設けられ電圧検知端子４３が収容される検知用収容部３５と、保持部５２と検知用収容部３５との間に設けられて電圧検知用電線Ｗ２が配される電線通し溝３６とを有する。
各保持部５２は、接続部材２１が載置される底板５３と、接続部材２１を囲むように形成されてなる仕切り壁５４とを有する。
【００４０】
仕切り壁５４には、接続部材２１の離脱を規制する係止片５５が撓み変形可能に設けられている。係止片５５は、仕切り壁５４に対して露出孔３０をコ字状に貫通させることにより設けられる。
【００４１】
仕切り壁５４の外面には、露出孔３０の一部を外方側から覆う補助壁３２が仕切り壁５４と一体に設けられている。
また、仕切り壁５４には、電圧検知端子６３の角部を嵌め込む凹部５８が形成されるとともに、図１３に示すように、電圧検知端子６３の１方の角部６３Ａが挿通される露出孔５９（本発明の構成である「露出部」の一例）が仕切り壁５４を貫通して設けられている。
【００４２】
仕切り壁５４のうち、露出孔５９の外面側には、露出孔５９の下端側の部分を覆う補助壁６０が設けられている。
この補助壁６０は、電圧検知端子６３が収容されると、電圧検知端子６３の一方の角部６３Ａの下方に位置する。
【００４３】
電圧検知端子６３は、図１０に示すように、接続部材６１の左方側（左右方向の一方の側）に、傾斜した姿勢で重ねられており、長方形状の平板部と、平板部の後方にて電圧検知用電線Ｗ２が接続される電線接続部とからなる。
平板部は、中心部に円形状の端子挿通孔６５を有し、２つの角部が凹部５８の底に載置されるとともに、１つの角部が露出孔５９に挿通される。
【００４４】
なお、図示はしないが、各接続ユニットには、左右方向の一方に設けられた連結係合部と、左右方向の他方に設けられ隣の接続ユニットに係合する連結被係合部が設けられており、連結係合部と連結被係合部とがクリアランスを有しつつ係合することにより、左右の接続ユニットが連結された状態となる。
【００４５】
＜他の実施形態＞
本発明は上記記述及び図面によって説明した実施形態に限定されるものではなく、例えば次のような実施形態も本発明の技術的範囲に含まれる。
（１）上記実施形態では、接続部材２１は、異極の電極端子１２Ａ，１２Ｂを接続（直列接続）するものとしたが、これに限られず、同極の電極端子１２Ａ，１２Ａ（１２Ｂ，１２Ｂ）を接続（並列接続）するものでもよい。例えば、上記実施形態の電池モジュール１０に更に別の単電池１１を並列接続し、この並列接続における同極の電極端子１２Ａ，１２Ａを複数の接続部材２１（電池配線モジュール２０）で接続するようにしたものでもよい。
【００４６】
（２）電池モジュール１０を構成する単電池１１の数については、５個としたが、これに限られず、６個以上、又は４個以下でもよく、これに応じ単電池群に取り付ける接続ユニット２３の数も上記実施形態の２個に限らず、１個又は３個以上であってもよい。
（３）上記実施形態では、電池配線モジュール２０を複数の別体の接続ユニット２３を連結することにより構成したが、これに限られず、例えば、一枚の（一体型の）接続プレートで電池配線モジュールを構成し、この接続プレートの複数の保持部２４Ａ，２４Ｂに接続部材２１が保持されるようにしてもよい。
【００４７】
（４）上記実施形態では、仕切り壁２７の露出孔３０は、係止片２９Ａ，２９Ｂを形成することにより設けられるものであったが、これに限られず、他の部分（上記実施形態では設けられていない部分でもよい）を形成するために設けた露出孔３０に対して補助壁３２を設けるものであってもよい。
（５）上記実施形態では、外面側（前方側）の対向壁２８Ａに補助壁３２を設けたが、内面側（後方側）の対向壁２８Ｂにも補助壁を設けてもよい。ただし、外面側の方が、他の部材との接触等の可能性の低い内面側よりも絶縁性の低下による問題が生じやすいため、上記実施形態のように外面側の対向壁２８Ａに補助壁３２を設けた方が絶縁性の向上等のために効果的である。
【００４８】
（６）上記実施形態では、仕切り壁２７は、接続部材２１を全周に亘って包囲するものであったが、これに限れず、少なくとも接続部材２１と外部との間を仕切るのであれば例えば接続部材２１の全周のうち仕切り壁が設けられていない部分を有するものであってもよい。
【００４９】
（７）実施形態１では、仕切り壁２７と補助壁３２の間は、上下共に塞がれていない連通孔３３としたが、これに限らず、例えば、図１４に示すように、仕切り壁２７の上部と補助壁３２の上部との間を塞いだ（連結した）形状としてもよい。
（８）実施形態２では、補助壁６０は、露出孔５９の一部を覆う構成であったが、図１５に示すように、補助壁７０の上端が露出孔５９の上端よりも上方に延出することにより補助壁７０が露出孔５９の全体を覆うようにし、電圧検知端子６３（の角部６３Ａ）が補助壁７０の内側に隠れるようにしてもよい。
【符号の説明】
【００５０】
１０…電池モジュール
１１…単電池
１２Ａ，１２Ｂ…電極端子
１２Ｃ…電圧検知用電極
２０，５０…電池配線モジュール
２１，６１…接続部材（導電部材）
２３…接続ユニット
２４Ａ，２４Ｂ…保持部
２５，５３…底板（底部）
２６…開口部
２７，５４…仕切り壁
２８Ａ，２８Ｂ…対向壁
２９Ａ，２９Ｂ，５５…係止片
２９Ｃ…肉厚部
３０，５９…露出孔（露出部）
３０Ａ，３０Ａ…スリット
３０Ｂ…切欠き
３１…通し孔
３２，６０，７０…補助壁
３３…連通孔
３４，３４…側壁
４０Ａ，４０Ｂ…端部ユニット
４１Ａ，４１Ｂ…端子金具
４３，６３…電圧検知端子（導電部材）
５１…連結接続ユニット
６３Ａ…角部
Ｗ１…電線
Ｗ２…電圧検知用電線
【図１】
0005787140.tif 000002
【図２】
0005787140.tif 000003
【図３】
0005787140.tif 000004
【図４】
0005787140.tif 000005
【図５】
0005787140.tif 000006
【図６】
0005787140.tif 000007
【図７】
0005787140.tif 000008
【図８】
0005787140.tif 000009
【図９】
0005787140.tif 000010
【図１０】
0005787140.tif 000011
【図１１】
0005787140.tif 000012
【図１２】
0005787140.tif 000013
【図１３】
0005787140.tif 000014
【図１４】
0005787140.tif 000015
【図１５】
0005787140.tif 000016